(57)【要約】【課題】良好な景観を保ちつつ、経済性にも優れた壁面等の緑化を可能にする植栽用タイルを提供する。【解決手段】この植栽用タイルは、表面に凹部をもつ陶磁器製タイル本体と、前記凹部の底面に接合された植物緑化シートと、を有することを特徴とする。タイル本体は、陶磁器からなるので、従来のタイルと同様取り扱い及び施工が容易である。タイル本体を多孔質の陶磁器製とすることにより、保水性が高まり、より植物の生育に適するようになる。また、軽量ともなり取り扱い及び施工がさらに容易になる。【選択図】図２
2005348631.tif 000002
【特許請求の範囲】
【請求項１】
表面に凹部をもつ陶磁器製タイル本体と、
前記凹部の底面に接合された植物緑化シートと、を有することを特徴とする植栽用タイル。
【請求項２】
前記タイル本体は、多孔質である請求項１記載の植栽用タイル。
【請求項３】
前記多孔質の気孔率は１０〜５０％である請求項２記載の植栽用タイル。
【請求項４】
前記タイル本体は、厚さが７〜１５ｍｍの方形であり、前記表面にはその周縁に沿って延びる枠状の突部を有し、該枠状の突部で区画された部分が前記凹部を形成する請求項１〜３記載の植栽用タイル。
【請求項５】
前記タイル本体は、上層および下層の２層からなり、該上層は多孔質の陶磁器製である請求項１記載の植栽用タイル。
【請求項６】
前記タイル本体は、上層および下層の２層からなり、該下層は多孔質の陶磁器製または多孔質ではない磁器質である請求項１記載の植栽用タイル。
【請求項７】
前記植物緑化シートは、前記タイル本体に接着剤により点状あるいは線状で接着されている請求項１〜５記載の植栽用タイル。
【発明の詳細な説明】
【技術分野】
【０００１】
本発明は、景観美化と環境浄化とを兼ねた地球に優しい都市景観形成用材料を提供するものであり、植物の生長が困難な壁面等を緑化する植栽用タイルに関するものである。
【背景技術】
【０００２】
近年、建築物の密集した都市部において、ヒートアイランド現象や環境保全の立場から都市の緑化の要請が高まり、それに応じて建築物の屋上、屋根、壁面等に植栽基盤等を設置して緑化を行うことが試みられている。特に、建築物の露出面の大部分を占める壁面を緑化することにより、夏期には強い日射による放射熱や直射熱により高温となる建築壁面の熱を遮断する効果が得られる。また、建築物の外観景観を向上させると同時に、緑化による自然環境の美化および建築物の防火・延焼予防効果も得られる。
【０００３】
壁面を緑化する場合、従来は蔓植物を地表の土壌に植え込む等方法が限られていたが、つたの延びる範囲に限りがあるため、壁面の所要個所を被覆する緑化施工は困難であった。特許文献１には、メッシュ金網ブロック体を用いて建築物の壁面を緑化する工法が開示されている。この壁面緑化工法は、人工軽量土壌を充填した金網ブロック体により、立体的な垂直壁面の全面緑化を可能にしたもので、土壌を保持するのにユニット化したメッシュ金網ブロック体を使用し、壁面前方の地盤面に植設した２本組の対支柱に張架したメッシュ金網のＬ型保持枠部分に、土壌を充填したメッシュ金網ブロック体を点在または連接して保持し、その土壌に蔓植物等を植え付けることができるものである。しかしながら、このメッシュ金網ブロック体による壁面緑化は、部品点数が多く大型となるため、運搬や搬入、施工作業に手間がかかる。また、植栽する前の準備が極めて煩雑であり、所要壁面を簡便に緑化することができないという問題点がある。
【０００４】
また、特許文献２には、コケ植物による壁面緑化システムが開示されている。この壁面緑化システムは、三次元織物内にコケを生育させたマットを壁面に取り付けて緑化するものであり、厚さ１０〜２５ｍｍの不織布、コケを生育させた厚さ１５ｍｍの三次元織物および壁面固定用のステンレス金網で構成されている。しかし、この壁面緑化システムは、不織布、三次元織物、ステンレス金網と部品点数が多く、施工も煩雑となる。また、コケを生育させたマットの周囲をネット状の織物で覆っているため、景観を損なっている。
【０００５】
さらに、従来、建築物の景観を向上させるための建築材料として、人工の緑色合成繊維を用いた緑化ブロックがある。しかし、このような建築材料は、単に鑑賞用としてブロック、タイル等に人工の緑色合成繊維毛を植毛したに過ぎないものであり、植毛した合成繊維毛が紫外線などにより退色したり、接着面で剥がれ落ちたりするという問題点があった。また、人工の緑であるため、ＣＯ2吸収等の環境浄化には何ら役立っていなかった。
【特許文献１】特開２００３−３１９７１９号公報
【特許文献２】www.takenaka-doboku.co.jp
【発明の開示】
【発明が解決しようとする課題】
【０００６】
本発明は、以上のような点に鑑みてなされたもので、軽量で取り扱いが簡易であり、また部品点数を大幅に削減することができ、しかも建築物の垂直面や斜面等の所要の法面を緑化することができ、強風による植物緑化シートの飛散という問題を生じさせることのない植栽用タイルを提供することを課題とする。
【０００７】
さらに、良好な景観を保ちつつ、経済性にも優れた壁面等の緑化構造を提供することを目的とする。
【０００８】
また、工業的に量産できる植栽用タイルを提供することを目的とする。
【課題を解決するための手段】
【０００９】
本発明の植栽用タイルは、表面に凹部をもつ陶磁器製タイル本体と、前記凹部の底面に接合された植物緑化シートと、を有することを特徴とする。
【００１０】
タイル本体は、陶磁器からなるので、従来のタイルと同様取り扱い及び施工が容易である。タイル本体を多孔質の陶磁器製とすることにより、保水性が高まり、より植物の生育に適するようになる。また、軽量ともなり取り扱い及び施工がさらに容易になる。
【００１１】
タイル本体は、気孔率１０〜５０％の多孔質であるのが好ましい。植生基材の充填性及び植生の面から、気孔率は２０％以上であるのが特に好ましく、主に強度の面から５０％以下であることが好ましいからである。
【００１２】
タイル本体は、厚さが７〜１５ｍｍの方形であり、表面にはその周縁に沿って延びる枠状の突部を有し、枠状の突部で区画された部分が凹部を形成するのが好ましい。このような構造とすることで、周縁の突部が内側の植物緑化シートを保持することができるので、強風による植物緑化シートの飛散または土壌の崩落等を防ぐことができる。
【００１３】
タイル本体は、上層および下層の２層からなり、上層は多孔質の陶磁器製とすることもできる。上層および下層で材質を異なるものとすることにより、植物の生育に必要な水分を保水することができるとともに、タイルとしての用途、機能に合わせて各種製造することができる。
【００１４】
植物緑化シートは、タイル本体に接着剤により点状あるいは線状で接着されているのが好ましい。接着剤でタイルに直接、接着されていることにより、強風による植物緑化シートの飛散を防ぐことができる。接着剤には、シリコン樹脂接着剤等を用いることができる。
【００１５】
植物緑化シート上に植栽する植物は、その上に着生し得る植物であればよく、特に限定はされない。例えば、芝や蔦、地衣類、サボテン類、草花、キノコ類等がある。特にサボテン類、コケ類は、対暑性があり少ない水分でも生育できるので適している。
【００１６】
（発明の実施の形様）
本発明の植栽用タイルは、陶磁器製のタイル本体および植物緑化シートとからなる。タイル本体は、耐火粘土または耐火シャモットに気孔付与材を添加して、表面に凹部をもつタイル状に成形した後、焼成することにより製造できる。この焼成タイル本体は気孔率１０〜５０％であるのが好ましい。気孔付与材としては、例えば、紙製品の切断の際に生じる紙屑で、粒径が０．５〜２ｍｍ程度の微細なもの、あるいは鋸屑のような木屑、火力発電所からの廃棄物である石炭屑（フライアッシュ）等を使用できる。これらは他の製品等を生産する際に生じる廃棄物であり、このような廃棄物を有効利用できる点において優れている。尚、気孔付与材以外にも必要に応じて添加剤を混合でき、例えば水ガラスや長石のような無機バインダーを添加すれば、より低い温度で焼成することも可能である。
【００１７】
このようにして得られた多孔質セラミックブロックは、気孔付与材の焼失または体積が減少することにより、全体的に連通気孔が形成され、その気孔径の主体は０．２〜２０００μｍの範囲となる。従って、この連通気孔により表面に形成される凹凸から水分を吸収し、内部の連通気孔に保持され、植物の生育に必要な保水性、通気性を確保することができる。
【００１８】
また、タイル本体は、次のような方法でも製造することができる。まず、磁器タイルの原料に炭化ケイ素を混入して泥状にしたものを熱風中に吹き込んで瞬間的に乾燥することにより顆粒状にし、陶磁器原料を得る。この陶磁器原料には、発泡材として０．０５〜０．２０重量％程度の炭化ケイ素が混入されており、融点は炭化ケイ素の発泡温度とほぼ同一の１２００〜１２５０度である。この陶磁器原料を金型に入れて表面をならした後、１５０〜２００ｋｇ／ｃｍ2の圧力で乾式プレス成形して形成する。陶磁器原料に酸化カルシウムを適量混入すると、原料の融点を調整して発泡を良好に行わせることができる。
【００１９】
さらに、タイル本体を上層および下層の２相構造とするときは、陶磁器原料を金型に入れて表面をならした後、耐火粘土に気孔付与材を添加した原料を陶磁器原料の上層に入れ、上記と同様に乾式プレス成形することができる。これにより原料の異なる２層からなるタイル本体が形成される。
【００２０】
タイル本体の凹部には、その底面に植物緑化シートを接着剤等で接合する。接着剤により点状あるいは線状でタイル本体に直接接着することにより、植物緑化シートの一部が崩落することなく強固に保持される。接着剤にはシリコン樹脂接着剤で耐水性を有するものを使用するのが好ましい。
【００２１】
本植栽用タイルは、タイル本体の周縁に枠状の突部を形成しているのが好ましい。このような形状とすることで強風等により植物緑化シートの一部が吹き飛ばされることもなく、維持管理が容易なものとなる。
【００２２】
タイル本体に植物緑化シートを接合したものを、予め一定期間養生しておいてもよい。納期に合わせて植物の育成養生を図ることにより、施工と同時に壁面の緑化が完了し美しい外観を呈する。また、植物の生長に伴い、タイル本体の枠状の突部も植物で覆い隠されてゆくので、保護対象面の全面が緑色の部分で覆われることになり、高密度の植栽壁を実現することができる。
【発明を実施するための最良の形態】
【００２３】
以下、実施例に基づいて本発明を説明する。本実施例の植栽用タイルの断面図を図１に、斜視図を図２に示す。この植栽用タイルは、陶磁器製のタイル本体１および植物緑化シート２とからなる。タイル本体１は、耐火粘土に気孔付与材を添加して、表面に凹部をもつタイル状に成形した後、１２５０度で焼成することにより製造したものである。この焼成タイル本体１は気孔率約３０％、全体の寸法は、縦１５０ｍｍ、横１５０ｍｍ、厚さ１５ｍｍであった。また、周縁の枠状の突部の寸法は、幅１０ｍｍ、高さ５ｍｍであった。気孔付与材としては、紙屑、木屑、石炭屑を使用した。
【００２４】
なお、タイル本体としては、図３に断面図で示すように、タイル本体１を上層１及び下層２の２相で形成し、上層を多孔質の陶器質製とし、下層を強度の高い磁器質製とすることができる。上層は多孔質からなるので、保水性を有し、植物が生育するのに適している。また、下層を磁器質製とすることで強度を増すとともに、タイル本体自体を接着剤により壁面またはステンレス板等に直接貼り付けることができる。さらに、下層を多孔質の陶器質製としてもよい。この場合は、タイル本体全体が保水性を有するので、タイル本体の裏面から水やりをすることができる等、植物の生育により適している。
【００２５】
タイル本体１は、表面に凹部を有し、この凹部はタイル本体１の表面の中央部分がくり抜かれて形成された平盤状の陥没部分である。この凹部に緑化シート２が接合保持されている。
【００２６】
植物緑化シート２は、コケ類の一種をシート状に育て裁断して得られたもので、耐候耐水性がある。このシートは乾燥にも日射にも強く、自然の雨水で生育する。このため、垂直な壁面でも生育可能である。
【００２７】
植物緑化シート２はタイル本体１の凹部の寸法に合わせて裁断したものを接着剤によりタイル本体１に固着したものである。接着剤は、シリコン樹脂系の接着剤で耐水性のあるものを使用している。
【００２８】
タイル本体１を建築物の壁面に施工する方法としては、従来用いられている方法により施工することができる。例えば、図４に示すように、建築物の壁面に平行に帯状の金属製の金具を取り付け、タイル本体の四隅をねじ釘等で金具に固定することにより取り付ける。この場合、建築物と金具の間に隙間を設けることにより、建築物の壁面を損傷することなく、壁面を緑化することができる。また、隙間を設けることにより、空気の層による断熱効果も得られる。
【００２９】
また、タイル本体を壁面に施工する方法としては、植物緑化シート２が接合されたタイル本体１をステンレス等の基板に複数枚整列して張り付けてタイルユニットを形成し、タイルユニットを建築物の壁面に取り付けられた金具にねじ釘等で固定することにより施工することができる。当該方法によれば、タイルを１枚ずつ建築物に張り付ける手間が省けるので、施工の作業効率が向上する。
【００３０】
タイル本体１には植物緑化シート２が予め一体として接合されているので、現場では植物緑化シートを新たに貼り付けする工程を必要とせず、従来と同様のタイル張り付け作業により、緑化された壁面を形成することができる。
【図面の簡単な説明】
【００３１】
【図１】実施例の植栽用タイルの断面図である。
【図２】実施例の植栽用タイルの斜視図である。
【図３】２層からできたタイル本体の断面図である。
【図４】実施例の植栽用タイルの施工方法の一例である。
【符号の説明】
【００３２】
１：タイル本体            ３：接着剤
２：植物緑化シート      １１：上層          １２：下層
【図１】
2005348631.tif 000003
【図２】
2005348631.tif 000004
【図３】
2005348631.tif 000005
【図４】
2005348631.tif 000006